(57)【要約】【課題】  低トルク性及び耐焼付き性を維持しつつ、グリース漏れを防止できるグリース組成物を提供する。【解決手段】  グリース組成物の離油度（ＪＩＳ  Ｋ  ２２２０に規定された離油度測定方法を用いて、試験温度１００℃、試験時間２４時間という条件で測定）を、０．１質量％以上０．８質量％以下とする。【選択図】        図１
2006131763.tif 000002
【特許請求の範囲】
【請求項１】
ＪＩＳ  Ｋ  ２２２０に規定された離油度測定方法を用いて、試験温度１００℃、試験時間２４時間という条件で測定された離油度が、０．１質量％以上０．８質量％以下であることを特徴とするグリース組成物。
【請求項２】
内輪と、外輪と、前記内輪及び前記外輪の間に転動自在に配設された複数の転動体と、を備え、前記内輪及び前記外輪の間に形成され前記転動体が配設された空隙部内にグリース組成物が封入された転がり軸受において、
前記グリース組成物は、請求項１に記載のグリース組成物であることを特徴とする転がり軸受。
【請求項３】
Ｘ線照射装置と検出器とが対向配置された回転体を備えたＣＴスキャナ装置において、  前記回転体は、請求項２に記載の転がり軸受により回転自在に支持されていることを特徴とするＣＴスキャナ装置。
【発明の詳細な説明】
【技術分野】
【０００１】
本発明は、グリース組成物と、このグリース組成物が封入された転がり軸受と、この転がり軸受が備えられたＣＴスキャナ装置に関する。
【背景技術】
【０００２】
医療機器の一種であるＣＴスキャナ装置は、図５に示すように、開口部１００Ａが設けられた検査部１００と、人体等の被検査体３００が載せられ、検査部１００の開口部１００Ａ内を移動可能な寝台部２００と、を備えている。検査部１００には、Ｘ線照射装置１１１と検出部１１２とが対向配置されたリング状の回転体１０１が備えられている。
このＣＴスキャナ装置は、Ｘ線照射装置１１１からＸ線を照射した状態で回転体１０１を寝台部２００の周囲を回転させて、被検査体３００を透過したＸ線を検出器１１２で検出することにより、被検査体３００の断面画像が得られるように構成されている（例えば、特許文献１参照）。
【０００３】
このようなＣＴスキャナ装置においては、検査部１００に設けられる開口部１００Ａを被検査体３００が通過できる程度の大径（例えば、直径１ｍ程度）に形成し、且つ、ＣＴスキャナ装置自体の小型化を実現するために、回転体支持部１１３のスペースを小さくする必要がある。よって、回転体１０１を支持するための転がり軸受１１４としては、通常、軸受断面比αが０．２以下の薄肉転がり軸受が使用されている。なお、軸受断面比αは、下記式（１）によって定義される。
α＝（Ｄ−ｄ）／（２×ＤPW）
但し、上記式（１）中のＤは軸受外径、ｄは軸受内径、ＤPWは軸受の転動体の中心径である。
【０００４】
このような薄肉転がり軸受では、軸受内部の空間が小さいことから、軸受寿命、低トルク性、及び耐焼付き性を優先的に考慮して、比較的離油度の高い（例えば、ＪＩＳ  Ｋ  ２２２０の測定方法で、試験温度１００℃、試験時間２４時間の離油度が１質量％以上３質量％以下）グリース組成物が用いられるのが一般的である。
【特許文献１】特開２００２−１３０２５９号公報
【発明の開示】
【発明が解決しようとする課題】
【０００５】
ところで、ＣＴスキャナ装置においては、上述したように回転体支持部１１３のスペースが小さいことから、転がり軸受１１４側にもハウジング側にもシールを設けることが難しい。このため、転がり軸受１１４の潤滑に上述したような離油度の高いグリース組成物が用いられると、装置使用中にグリース組成物中の基油が分離して漏出し、周辺装置（例えば、Ｘ線照射装置１１１、検出器１１２、及びその他電気系統）に悪影響を及ぼす場合がある。
そこで、本発明は、このような事情に鑑みてなされたものであり、低トルク性及び耐焼付き性を維持しつつ、グリース漏れを防止できるグリース組成物を提供することを課題としている。
【課題を解決するための手段】
【０００６】
このような課題を解決するために、本発明のグリース組成物は、ＪＩＳ  Ｋ  ２２２０に規定された離油度測定方法を用いて、試験温度１００℃、試験時間２４時間という条件で測定された離油度が、０．１質量％以上０．８質量％以下であることを特徴とするものである。
ここで、グリース組成物の離油度が０．１質量％未満であると、グリース組成物中の基油が大幅に少なくなるため、潤滑不良による焼付きが生じ易くなる。一方、グリース組成物の離油度が０．８質量％を超えると、グリース組成物から分離する基油が多くなりすぎるため、封入された空間内からグリース組成物が漏出し易くなる。また、グリース組成物の離油度の好ましい範囲は、０．１質量％以上０．６質量％以下である。
【０００７】
なお、本発明のグリース組成物に使用される基油の種類としては、グリース組成物の基油として一般的に使用されるものであれば特に限定されない。例えば、鉱油（例えば、パラフィン系鉱物油、ナフテン系鉱物油、及びそれらの混合油）や、合成油（例えば、合成炭化水素油、エーテル油、エステル油、シリコン油、フッ素油）が挙げられる。なお、これらの基油は、単独で用いてもよいし、２種以上を適宜組み合わせて用いてもよい。
【０００８】
また、本発明のグリース組成物に使用される増ちょう剤の種類としては、グリース組成物の増ちょう剤として一般的に使用されるものであれば特に限定されない。例えば、金属石けん系増ちょう剤（例えば、リチウム石けん、カルシウム石けん、ナトリウム石けん、アルミニウム石けん、リチウムコンプレックス石けん、カルシウムコンプレックス石けん、ナトリウムコンプレックス石けん、バリウムコンプレックス石けん、アルミニウムコンプレックス石けん）や、無機化合物系増ちょう剤（例えば、ベントナイト、クレイ）や、有機化合物系増ちょう剤（例えば、ウレア、ウレタン、ナトリウムテレフタラメート）が挙げられる。なお、これらの増ちょう剤は単独で用いてもよいし、２種以上を適宜組み合わせて用いてもよい。
【０００９】
本発明の転がり軸受は、内輪と、外輪と、前記内輪及び前記外輪の間に転動自在に配設された複数の転動体と、を備え、前記内輪及び前記外輪の間に形成され前記転動体が配設された空隙部内にグリース組成物が封入された転がり軸受において、前記グリース組成物は、本発明のグリース組成物であることを特徴とするものである。
本発明のＣＴスキャナ装置は、Ｘ線照射装置と検出器とが対向配置された回転体を備えたＣＴスキャナ装置において、前記回転体は、本発明の転がり軸受により回転自在に支持されていることを特徴とするものである。
【発明の効果】
【００１０】
本発明のグリース組成物によれば、離油度を特定したことにより、潤滑特性を維持しつつ、封入された空間内からのグリース漏れを防止することができる。これにより、例えば薄肉転がり軸受のように、軸受内部の空間が小さくシール材が設置困難な転がり軸受用のグリース組成物として好適に用いることができる。
本発明の転がり軸受によれば、本発明のグリース組成物が充填されていることにより、低トルク性及び耐焼付き性を維持しつつ、グリース漏れに起因する周辺装置への悪影響を防止できる。
本発明のＣＴスキャナ装置によれば、本発明の転がり軸受により、Ｘ線照射装置と検出器が対向配置された回転体を回転自在に支持したことにより、装置の耐久性を維持しつつ、グリース漏れに起因する周辺装置への悪影響を防止できる。
【発明を実施するための最良の形態】
【００１１】
以下、本発明の実施形態について説明する。
本実施形態では、本発明のグリース組成物の特性を確認するために、図１に示す複列アンギュラ玉軸受（外径：９３９．８ｍｍ，内径：８８９ｍｍ，幅：５０．８ｍｍ）１０を用意した。
この複列アンギュラ玉軸受１０は、内輪１と、外輪２と、複数の玉（転動体）３と、保持器４とからなる。また、玉３は、保持器４により支持された状態で、別体の内輪１に形成された複列軌道溝１ａ，１ｂと、一体の外輪２に形成された複列軌道溝２ａ，２ｂとの間に転動自在に配設されている。
次に、この複列アンギュラ玉軸受１０の空間に、表１に示す離油度が異なるグリース組成物Ｇをそれぞれ封入した。
【００１２】
【表１】
2006131763.tif 000003
【００１３】
そして、この複列アンギュラ玉軸受１０を、上述した図５に示すＣＴスキャナ装置の転がり軸受１１４に適用する場合を想定して以下に示す条件で回転させ、回転後のグリース組成物Ｇの漏れ量と、回転起動に要する起動トルクと、回転時の動トルク（回転トルク）と、をそれぞれ測定した。
〔複列アンギュラ玉軸受の回転条件〕
回転速度：１２０ｍｉｎ-1
モーメント荷重：７２５ＫＮ・ｍ
回転時間：４３２０時間
【００１４】
図２は、グリース組成物Ｇの漏れ量の結果を示したグラフであり、グリース組成物Ｇの離油度と、複列アンギュラ玉軸受１０を４３２０時間回転させた後に漏れだしたグリース組成物Ｇから分離した基油（以下、「グリース分離油」と記す。）量との関係で示した。
図２に示すように、離油度が本発明の範囲内であるＮｏ．１〜３のグリース組成物Ｇを封入した複列アンギュラ玉軸受１０からのグリース分離油量は、１．５ｇ以下であった。このグリース分離油量は、複列アンギュラ玉軸受１０の耐焼付き性や周辺装置への悪影響に対して許容範囲内である。
【００１５】
一方、離油度が本発明の範囲外であるＮｏ．４，５のグリース組成物Ｇを封入した複列アンギュラ玉軸受１０からのグリース分離油量は、上述した耐焼付き性や周辺装置への悪影響に対して許容範囲外の２．０ｇ以上であった。
図２に示す結果から、グリース組成物Ｇの離油度を０．１質量％以上０．８質量％以下とすることにより、グリース組成物Ｇの漏れ量を抑制できることが分かった。
【００１６】
図３は、各グリース組成物Ｇを封入した複列アンギュラ玉軸受１０の起動トルクの結果を示したグラフであり、グリース組成物Ｇの離油度と起動トルクとの関係で示した。なお、本実施形態で用いた複列アンギュラ玉軸受１０の耐久トルクは、９．８Ｎ・ｍ（１ｋｇｆ・ｍ）に規格されている。
図３に示すように、離油度が本発明の範囲内であるＮｏ．１〜３のグリース組成物Ｇを複列アンギュラ玉軸受１０に封入した場合でも、離油度が本発明の範囲外であるＮｏ．４，５のグリース組成物Ｇを複列アンギュラ玉軸受１０に封入した場合でも、規格値である９．８Ｎ・ｍ以下の起動トルクであった。
【００１７】
図４は、図３で示した起動トルク結果で最も起動トルクが大きかったＮｏ．１のグリース組成物Ｇと、比較例であるＮｏ．５のグリース組成物Ｇとをそれぞれ封入した複列アンギュラ玉軸受１０の動トルクの結果を示したグラフであり、グリース組成物Ｇの離油度と動トルクとの関係で示した。
図４に示すように、本発明例であるＮｏ．１のグリース組成物Ｇも比較例であるＮｏ．５のグリース組成物Ｇも、規格値である９．８Ｎ・ｍ以下の動トルクであった。
図３及び図４に示す結果から、離油度が本発明の範囲内のグリース組成物Ｇであっても、起動トルク及び動トルクには悪影響を及ぼさないことが分かった。これにより、離油度が本発明の範囲内のグリース組成物Ｇであっても、耐焼付き性を維持できることが分かった。
【００１８】
以上の結果より、０．１質量％以上０．８質量％以下の離油度を有するグリース組成物Ｇを複列アンギュラ玉軸受１０に封入することにより、低トルク性及び耐焼付き性を維持しつつ、グリース組成物Ｇの漏れ量を低減できることが分かった。
なお、本実施形態では、転がり軸受の一例として、別体の内輪と一体の外輪にそれぞれ複列軌道面を有する複列アンギュラ玉軸受に適用した場合について説明したが、これに限らず、一体の内輪と別体の外輪にそれぞれ複列軌道面を有する複列アンギュラ玉軸受や、両方とも一体の内輪と外輪にそれぞれ複列軌道面を有する複列アンギュラ玉軸受に適用しても構わない。
【図面の簡単な説明】
【００１９】
【図１】本発明の転がり軸受の一例である複列アンギュラ玉軸受を示す断面図である。
【図２】グリース組成物の離油度と、グリース分離油量との関係を示すグラフである。
【図３】グリース組成物の離油度と、軸受の起動トルクとの関係を示すグラフである。
【図４】グリース組成物の離油度と、軸受の動トルクとの関係を示すグラフである。
【図５】ＣＴスキャナ装置の一例を示す断面図である。
【符号の説明】
【００２０】
１          内輪
２          外輪
３          玉（転動体）
１０          複列アンギュラ玉軸受（転がり軸受）
１０１          回転体
１１１          Ｘ線照射装置
１１２          検出器
１１３          回転支持部
１１４          転がり軸受
【図１】
2006131763.tif 000004
【図２】
2006131763.tif 000005
【図３】
2006131763.tif 000006
【図４】
2006131763.tif 000007
【図５】
2006131763.tif 000008